【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
無線メッシュネットワークからのサブネットワークを作成する方法であって、
サブネットワークを作成するためのトリガ状態が存在するかどうかを決定するステップと、
前記トリガ状態が存在する場合に、前記サブネットワークを作成するために、前記メッシュネットワークのノードを選択するステップと、
前記選択されたノードで前記サブネットワークを作成するステップであって、前記サブネットワークは前記メッシュネットワークから分離され、これによって少なくとも２つの相異なるネットワークを作成するステップと
を備えたことを特徴とする方法。
【請求項２】
前記トリガ状態は、前記メッシュネットワークの状態の変化を含むことを特徴とする請求項１に記載の方法。
【請求項３】
前記トリガ状態は、前記メッシュネットワークの中心制御ポイントによって生成されることを特徴とする請求項１に記載の方法。
【請求項４】
前記トリガ状態は、前記メッシュネットワークの各ノードによって個別に生成されることを特徴とする請求項１に記載の方法。
【請求項５】
前記トリガ状態は、前記メッシュネットワークのノードのサブセットによって生成されることを特徴とする請求項１に記載の方法。
【請求項６】
前記メッシュネットワークのすべてのノードの状態を決定するステップ
をさらに備えたことを特徴とする請求項１に記載の方法。
【請求項７】
各ノードは、ノードの現在の状況の記録を保持することを特徴とする請求項６に記載の方法。
【請求項８】
各ノードは、ノードの現在の状態を、前記メッシュネットワークの他のノードに信号を送ることを特徴とする請求項６に記載の方法。
【請求項９】
前記選択するステップは、前記のノードの前記状態に基づいて、ノードを選択することを含むことを特徴とする請求項６に記載の方法。
【請求項１０】
リストア状態が存在するかどうかを決定するステップと、
前記リストア状態が存在する場合に、サブネットワークを単一のメッシュネットワークへ結合するステップと
をさらに備えたことを特徴とする請求項１に記載の方法。
【請求項１１】
前記リストア状態は、前記トリガ状態が存在する前の状態へ戻す前記メッシュネットワークを含むことを特徴とする請求項１０に記載の方法。
【請求項１２】
ノードは、１以上のサブネットワークに属することができることを特徴とする請求項１に記載の方法。
【請求項１３】
前記ノードは、いつでもサブネットワークを変えることができることを特徴とする請求項１に記載の方法。
【請求項１４】
無線メッシュネットワーク用のノードにおいて、
前記ノードで起こる動作に関する前記ノードの状態を保持するように構成された状態デバイスと、
前記ノードが所属する他のすべてのノードを含み、前記状態デバイスと通信する付属リストと、
前記状態デバイスと通信するトリガデバイスであって、サブネットワークをいつ形成すべきかを決定するように構成されたトリガデバイスと、
前記付属リストおよび前記トリガデバイスと通信する付属デバイスと
を備えたことを特徴とするノード。
【請求項１５】
前記付属デバイスは、
前記メッシュネットワークの他のノードに、前記ノードの前記状態の変化を通知し、
前記メッシュネットワークの他のノードの前記状態を受け取り、前記付属リストに前記他のノードの前記状態を記録する
ことを特徴とする請求項１４に記載のノード。
【請求項１６】
前記ノードは、１以上のサブネットワークに属することができることを特徴とする請求項１５に記載のノード。
【請求項１７】
前記ノードは、いつでもサブネットワークを変えることができることを特徴とする請求項１５に記載のノード。
【請求項１８】
無線メッシュネットワークをマージする方法であって、
前記無線メッシュネットワークを、ネットワークの状態の変化に基づいて、複数のメッシュネットワークに分離することを決定するステップと、
前記メッシュネットワークのノードを論理サブネットワークに編成するステップと、
前記サブネットワークを管理するステップと
を備えたことを特徴とする方法。
【請求項１９】
前記論理サブネットワークは、メッシュネットワークの運用専用のノードのセットを含むことを特徴とする請求項１８に記載の方法。
【請求項２０】
メッシュネットワークの運用は、無線リソース管理ＲＲＭ(radio resource management)を含むことを特徴とする請求項１９に記載の方法。
【請求項２１】
メッシュネットワークの運用は、前記ネットワークの監視を含むことを特徴とする請求項１９に記載の方法。
【請求項２２】
前記論理サブネットワークは、ルーティング専用のノードのセットを含むことを特徴とする請求項１８に記載の方法。
【請求項２３】
前記ルーティング専用のノードのセットは、ネットワーク障害の場合にフォールバックとしてルーティングすること専用であることを特徴とする請求項２２に記載の方法。
【請求項２４】
前記ルーティング専用のノードのセットは、特定のトラフィッククラスをルーティングすること専用であることを特徴とする請求項２２に記載の方法。
【請求項２５】
前記論理サブネットワークは、前記メッシュネットワークをブロードキャストし、通知すること専用であるノードのセットを含むことを特徴とする請求項１８に記載の方法。
【請求項２６】
前記メッシュネットワークをブロードキャストし通知すること専用の前記ノードのセットは、前記メッシュネットワークの端に位置づけられることを特徴とする請求項２５に記載の方法。
【請求項２７】
前記メッシュネットワークのノードを論理サブネットワークに編成するステップは、異なるサービスプロバイダからのトラフィックを有するノードを論理サブネットワークに編成するステップを含むことを特徴とする請求項１８に記載の方法。
【請求項２８】
前記メッシュネットワークのノードを論理サブネットワークに編成するステップは、同様のサービス品質（ＱｏＳ）要求を有するノードを論理サブネットワークに編成するステップを含むことを特徴とする請求項１８に記載の方法。
【請求項２９】
第１のサブネットワークに編成された特有のノードを開放するステップおよび前記特有のノードを第２のサブネットワークに再編成するステップをさらに備えたことを特徴とする請求項１８に記載の方法。
【請求項３０】
前記第１のサブネットワークに編成された特有のノードを開放するためのトリガは、ＲＲＭ状態の変化を含むことを特徴とする請求項２９に記載の方法。
【請求項３１】
前記第１のサブネットワークに編成された特有のノードを開放するためのトリガは、前記メッシュネットワークのトラフィック状態の変化を含むことを特徴とする請求項２９に記載の方法。
【請求項３２】
前記第１のサブネットワークに編成された特有のノードを開放するためのトリガは、セキュリティまたは認証の変化を含むことを特徴とする請求項２９に記載の方法。
【請求項３３】
特有のノードの前記附属の状態を追跡するステップをさらに備えたことを特徴とする請求項１８に記載の方法。
【請求項３４】
前記特有のノードが、その附属の状態の追加のノードを知らせ、特有のノードの附属の状態に変化することを特徴とする請求項３３に記載の方法。
【請求項３５】
前記特有のノードの前記附属の状態の前記追跡は、中心のノードにより実行されることを特徴とする請求項３３に記載の方法。
【請求項３６】
前記中心のノードは、前記特有のノードの状態の変化を前記メッシュネットワークにブロードキャストすることを特徴とする請求項３５に記載の方法。
【請求項３７】
別のサブネットワークのノードからの要求の第１のサブネットワークからノードを知らせるステップをさらに備えたことを特徴とする請求項１８に記載の方法。
【請求項３８】
無線メッシュネットワークにおいてサブネットワークを作成する方法であって、
前記メッシュネットワークを複数のサブネットワークに分裂させるステップと、
前記メッシュネットワークの特有のノードを異なる位置に再位置付けするステップと、
前記メッシュネットワークの第１のサブネットワークから前記メッシュネットワークの第２のサブネットワークへ、前記特有のノードを再編成するステップと
を備えたことを特徴とする方法。
【請求項３９】
前記第１のサブネットワークおよび前記第２のサブネットワークは、互いに通信することを特徴とする請求項３８に記載の方法。